(57)【要約】【課題】本件発明者等は、集合住宅や、狭小な住宅等、限られた面積に住居空間を確保する住宅において、開口の配置に制約がある部屋においても採光と通風を確保できる住居を提供することを目的とする。【解決手段】部屋の長さ方向の略中間部に、その部屋の幅より狭い幅の通路状空間が形成された平面視略Ｈ型形状の部屋を備える住居であって、前記通路状空間は、幅が、前記部屋の幅に対して５０％以下、且つ、７５ｃｍ以上であり、通路方向の長さが４５ｃｍ〜１８０ｃｍの範囲であり、高さが当該部屋の天井高と略等しく形成される住居を採用した。【選択図】図１
2008214949.tif 000002
【特許請求の範囲】
【請求項１】
部屋の長さ方向の略中間部に、その部屋の幅より狭い幅の通路状空間が形成された平面視略Ｈ型形状の部屋を備える住居であって、
前記通路状空間は、
幅が、前記部屋の幅に対して５０％以下、且つ、７５ｃｍ以上であり、
通路方向の長さが４５ｃｍ〜１８０ｃｍの範囲であり、
高さが当該部屋の天井高と略等しく形成されることを特徴とする住居。
【請求項２】
前記部屋の少なくとも一の壁面に開口部を備え、
前記通路状空間の通路方向の延長線上に、前記開口部が配置されることを特徴とする請求項１に記載の住居。
【請求項３】
前記通路状空間は、部屋の対向する内壁面からそれぞれ対向して突出する一対の凸状空間によって形成され、
前記凸状空間は、側壁と、一対の凸状空間の対向面の略全面を覆う建具又は面材とにより部屋の天井高と略等しい高さに形成され、
前記一対の凸状空間の対向面の面積が等しく形成されることを特徴とする請求項１又は請求項２に記載の住居。
【請求項４】
前記側壁に引戸を併設し、
前記引戸で通路状空間を塞ぐ事により、前記凸状空間と引戸とにより、部屋を間仕切り可能とすることを特徴とする請求項３に記載の住居。
【請求項５】
前記凸状空間は、多目的収納部であることを特徴とする請求項３又は請求項４に記載の住居。
【発明の詳細な説明】
【技術分野】
【０００１】
本発明は、住居に関するものであり、特に集合住宅や狭小な住宅に好適なものである。
【背景技術】
【０００２】
従来、マンション等の多層集合住宅では、各階に共用廊下と住居空間とが設けられ、共用廊下に面して、住戸の玄関等の出入り口が配置されている。図４は、従来の一般的な多層集合住宅の一例を示す部分平面図である。図４に示すように、従来の集合住宅は、各階に共用廊下１０２と、住居空間１０１とが設けられ、限られた空間に複数の住居空間１０１を設けるために、各住居空間１０１の面積はフロンテージ（間口）よりも奥行きが長い長方形とし、共用廊下１０２に面して並列させる例が多い。その結果、住居空間１０１は、長辺側二面の壁が隣家との境界壁１０８となり、他の一面が共用廊下１０２との外壁１０９となり、この外壁１０９に玄関１０４が配置される。そして、残りの一面側に窓等を備え、バルコニ１０３等が配置される。このような形状の住居の場合、採光の関係で、日照条件の良い方角にバルコニ等が配置されるのが一般的である。
【０００３】
そして、このような長方形状の住居空間に複数の部屋を設ける場合、住居空間の奥行き方向（図４矢印Ｙ方向）に部屋を並べて設置する場合がある。即ち、共用廊下に面した位置に部屋１０４ａを配置し、そのバルコニ１０３側には、仕切壁を挟んでリビング等、別の部屋１０４ｂが配置される。このとき、共用廊下１０２側に配置された部屋１０４ａでは、日当たりの良い側に、隣室（１０４ｂ）と仕切る壁や収納１０７が形成されているため、共用廊下１０２側の外壁１０９にのみ窓１１０が取り付けられるが、採光や通風を得にくい点が課題となっていた。特に、共用廊下１０２の通行人の視線に配慮して、窓に不透明なガラスが採用されたり、カーテン等が閉められると、他の部屋に比べて一層暗くなっている。
【０００４】
多層集合住宅以外にも、狭い間口で家屋が並ぶ住宅密集地においては、その三方を隣家の建物に囲まれた住居があり、多層集合住宅同様に、奥にある部屋は採光や通風の点が課題となっていた。
【０００５】
上記課題に対応するため、特許文献１では、集合住宅の共用廊下と居住空間との間に採光通風空間を設け、この採光通風空間に回動開放可能な通風用窓穴を開放させて、通行人等の視線を遮りながら、採光や通風を、居住空間に導入する集合住宅の構造が開示されている。また、特許文献２では、多層区分式集合住宅において、隣家との境界線上に遮蔽境界壁を立設して隣家と区分し、この遮蔽境界壁間と外壁との間に住居毎の開放通風空間を形成する技術が開示されている。
【０００６】
【特許文献１】特許３１９０８０２号公報
【特許文献２】特許２６７８８４０号公報
【発明の開示】
【発明が解決しようとする課題】
【０００７】
しかし、上記特許文献１及び特許文献２に開示の技術では、採光性や通気性を向上させる為に、特別の空間を構築することとなり、コストがかかるだけでなく、限られた面積を、採光通風空間等に充てなければならず、より広い居住空間へのニーズに対応できない。更に、特許文献１では、採光通風空間等によって、住居空間の設計に制約が生じる点で課題となっていた。
【０００８】
そこで、本件発明者等は、集合住宅や、狭小な住宅等、限られた面積に住居空間を確保する住宅において、窓等の開口部の設置に制約がある部屋においても採光性と通気性を向上させる住居を提供する。
【課題を解決するための手段】
【０００９】
そこで、本発明者等は、鋭意研究を行った結果、以下に示す住居を採用することで上記課題を達成するに到った。
【００１０】
本発明に係る住居は、部屋の長さ方向の略中間部に、その部屋の幅より狭い幅の通路状空間が形成された平面視略Ｈ型形状の部屋を備える住居であって、前記通路状空間は、幅が、前記部屋の幅に対して５０％以下、且つ、７５ｃｍ以上であり、通路方向の長さが４５ｃｍ〜１８０ｃｍの範囲であり、高さが当該部屋の天井高と略等しく形成されることを特徴とする。
【００１１】
また、本発明に係る住居は、前記部屋の少なくとも一の壁面に開口部を備え、前記通路状空間の通路方向の延長線上に、前記開口部が配置されることが好ましい。
【００１２】
そして、本発明に係る住居では、前記通路状空間は、部屋の対向する内壁面からそれぞれ対向して突出する一対の凸状空間によって形成され、前記凸状空間は、側壁と、一対の凸状空間の対向面の略全面を覆う建具又は面材とにより部屋の天井高と略等しい高さに形成され、前記一対の凸状空間の対向面の面積が等しく形成されることが望ましい。
【００１３】
更に、本発明に係る住居では、前記側壁に引戸を併設し、前記引戸で通路状空間を塞ぐ事により、前記凸状空間と引戸とにより、部屋を間仕切り可能とすることがより好ましい。
【００１４】
そして、本発明に係る住居では、前記凸状空間は、多目的収納部であることがより好ましい。
【発明の効果】
【００１５】
本発明に係る住居は、上記通路状空間を形成した平面視略Ｈ型形状の部屋を備えることにより、面積が平面視略長方形状の住居空間で、その長辺側に窓等の設置が難しい場所に配置された部屋であっても、住居空間の長尺方向に伸びる一部屋でありながら、部屋としての一体感を損なわずに、領域としてゾーニングされ、且つ、現実の広さ以上に広く感じられ、採光性、通気性に優れた住居とすることができる。従って、採光性や通気性を得るための専用空間を設ける必要が無い。また、住居内の回遊性が向上し、且つ、開放感や奥行きも感じられる視覚効果が得られる。
【発明を実施するための最良の形態】
【００１６】
以下、本発明に係る住居の最良の実施の形態に関して説明する。図１〜図３に例示するように、本発明の住居１は、部屋の長さ方向の略中間部に、その部屋の幅より狭い幅の通路状空間３が形成された平面視略Ｈ型形状の部屋を備えるものであり、この通路状空間３は、幅Ｗ１が、当該部屋の幅Ｗ２に対して５０％以下、且つ、７５ｃｍ以上であり、通路方向の長さＬが４５ｃｍ〜１８０ｃｍの範囲であり、高さが当該部屋の天井高と略等しく形成されることを特徴とする。
【００１７】
通路状空間３は、部屋２の中央部に形成された、幅を狭くした空間であり、部屋２の長さ方向の略中間部に形成されるが、略中間部に特段の限定はなく、通路状空間３を境として形成される２つの領域の面積は、等しくても、異なっていてもよい。なお、前記部屋２は、従来の日本の住居における部屋より広く、前記２つの領域は、それぞれ、生活空間として十分な広さを備えるものとなるように通路状空間３を形成する。
【００１８】
そして、図２に例示する様に、通路状空間３の幅Ｗ１は、部屋２の幅Ｗ２に対して５０％以下、且つ、７５ｃｍ以上とし、通路方向の長さＬは４５ｃｍ〜１８０ｃｍの範囲とするのが好ましい。通路状空間３の幅Ｗ１は、少なくとも７５ｃｍ以上でないと、円滑な動線を得難く、また、部屋の一体感が得られない。なお、より好ましい通路状空間３の幅Ｗ１は８０ｃｍ以上である。また、より好ましい通路状空間３の通路方向の長さＬは、７５ｃｍ〜１８０ｃｍである。これにより、平面視略Ｈ型形状とすることによる奥行きを感じ、現実の広さ以上に広く感じられる視覚効果やゾーニング効果が得られる。一方、通路状空間３の幅Ｗ１を、部屋２の幅Ｗ２に対して５０％を上回る幅とすると、上記効果が得られない。また、通路状空間３の通路方向の長さＬを４５ｃｍ以下とすると、通路状の空間が形成されず、通路状空間３を介してゾーニングされた領域の効果が得られない。また、部屋１の奥行きを感じられ難くなる。そして、通路状空間の長さＬが１８０ｃｍを超えると、生活動線の利便性が得られず、一部屋としての一体感も生じず、逆にデッドスペースとなる。更に、通路状空間３を、［通路状空間３の幅Ｗ１］：［通路状空間３の通路方向の長さＬ］＝１：１〜１：２となるように形成すると、より好ましい。この比率は、部屋の大きさに依存するものではなく、通路状空間３を外方から見た場合に、その開口に対する奥行きのバランスが良く、通路状空間３の面積に対して、奥行き感と部屋２のゾーニング効果を、最も効果的に発揮することができる範囲である。
【００１９】
なお、通路状空間３の天井部分は、部屋２の天井５と面一であり、下がり壁等は設けない。通路状空間３の天井部分を下がり壁等で区切ると、部屋としての一体感や開放感が損なわれるだけでなく、暖房時の暖気の流通を妨げるので、好ましくない。
【００２０】
そして、部屋２の少なくとも一の壁面には開口部を備え、通路状空間３の通路方向の延長線上に、この開口部が配置されることが好ましい。開口部としては、窓４の他、隣室や廊下に繋がる出入口４２等が挙げられる。このような配置とすることにより、通路状空間３を介して、光や風をとり込みやすくなり、採光性や通気性に恵まれない位置に配置された部屋でも快適な空間を得ることができる。それに伴って、住居１全体の通気性を向上させることができる。
【００２１】
次に、通路状空間３の形成について説明する。通路状空間３は、部屋の対向する壁面１２からそれぞれ突出する一対の凸状空間によって形成される。この凸状空間は、側壁８と、一対の凸状空間の対向面２１の略全面を覆う建具９又は面材とにより部屋の天井高と略等しい高さに形成され、前記一対の凸状空間の対向面２１の面積が等しく形成されることが好ましい。そして、一対の凸状空間は、その外形状が略対称となるように形成されると、奥行きの視覚効果が得られやすい。
【００２２】
また、前記側壁８に引戸１０を併設し、前記引戸１０で通路状空間３を塞ぐ事により、前記凸状空間と引戸１０とにより、部屋２を間仕切り可能とすることが好ましい。この引戸１０を併設することにより、部屋２を分けて使用することができる。例えば、来客時に客間と寝室とに分けて使用する場合等、幅広い用途に対応できる。なお、引戸１０は、凸状空間のいずれか一方の面にのみ設けてもよい。しかし、通路状空間３を両側を塞ぐようにそれぞれに引戸１０を設置すると、間仕切られた２つの領域間に、二層の引戸１０により形成された空間が介在するので、一面の引戸１０のみで仕切る場合と比べて、遮音効果が向上する。即ち、通路状空間３の開放時は、採光性ならびに通気性を確保でき、通路状空間３の閉塞時は防音性が得られ、可動性のみならず、機能性に優れるのである。
【００２３】
更に、前記凸状空間は、多目的収納部であることが好ましい。多目的収納部とは、広く物品を収納する空間を意味し、衣類、寝具、生活用品等の収納の他、楽器や机等をその場で使用可能に収容してもよい。そして、対向する凸状空間が、対称な収納部としても良いし、図１に示すように、対向面と、廊下等の隣接空間との両方に開口する収納部７としても良い。更に、一方の凸状空間は、廊下等の隣接空間側のみに開口する空間とし、例えば、隣接空間が部屋である場合は、机や書庫等で様々な収納空間として利用することが考えられる。また、構造用の柱を内壁側に突出して設ける場合に、この凸状空間内に収めると、すっきりとした外観となる。ここで、凸状空間の対向面は、少なくとも、外観上の凹凸が無く、互いに統一感のある材質で形成することにより、通路状空間３の外観が意匠性に優れるものとなるので好ましい。更に、建具や面材の色や材質は、内壁１２や天井材と同系のものを選択すると、部屋２の中央部分に凸状空間が形成されても、部屋の一体感を維持し、圧迫感を与えない効果が大きい。
【００２４】
本発明に係る住居１は、少なくとも、凸状空間は、側壁８が形成され、対向面が建具９または面材で覆われていれば良い。そして、側壁８に引戸１０を併設すると、部屋２を間仕切り可能となり、可変性を高めることができるので、より好ましい。また、収納部の対向面の建具と、通路状空間３を仕切る建具とを兼用することも可能である。即ち、凸状空間を、その対向面で開口する収納とし、通路状空間の幅と、対向面の幅を等しく形成し、通路状空間を開放する時は収納部用の扉となり、通路状空間を境にして部屋を仕切る時は、通路状空間を塞ぐ戸となる建具を採用すると、建具を減らすことができ、部材コストを低減できる。なお、上記引戸１０並びに収納部の建具９に吊戸を用いることにより、収納部内が密閉されずに適度な空気循環を生じさせることができる。そうすることにより、収納内部の防湿防臭効果が得られる。
【００２５】
本発明の住居は、上述の平面視略Ｈ型形状の部屋を備えることにより、様々な効果を得ることができるのである。従来は、限られた面積の部屋をより広く感じさせるために、壁面の凹凸を極力排除するように設計されていた。その為、箪笥やクローゼットを配置する場合も、薄型にしたり、壁一面を収納スペースとしていた。しかし、本発明では、従来の二部屋に相当する面積の部屋を設け、その略中央部に、対向して突出する凸状空間を形成することにより平面視略Ｈ型形状とし、部屋に通路状空間を形成し、機能性及び利便性を高めることに想到したのである。そして、図３に示すように、通路状空間からその奥の領域を見た場合に、一対の凸状空間によって、その奥の領域の一部の視界が遮られることとなり、その奥の領域との遠近感を大きくする視覚効果がある。この結果、現実の広さより大きく感じ、奥行きを感じるのである。
【００２６】
以下、実施例および比較例を示して本件発明を具体的に説明する。なお、本件発明は以下の実施例に制限されるものではない。
【実施例】
【００２７】
本実施例は、多層集合住宅の住居の例であり、図１は、実施例に係る住居の平面図である。そして、図３は実施例に係る住居に備える部屋の部分斜視図である。
【００２８】
実施例の住居１は、住居空間が間口よりも奥行きが長い平面視略長方形状であり、共用廊下１４に面して複数戸を並列に配置した。そして、住居空間は、長辺側二面の壁が隣家との境界壁１８となり、他の一面が共用廊下１４との境界の外壁１９となり、この外壁１９に玄関１５を配置した。そして、残りの一面側の外壁１７に窓４１を備え、バルコニ１３を配置した。なお、このような形状の住居の場合、採光の関係で、日照条件の良い方角にバルコニが配置されるのが一般的である。
【００２９】
住居空間は、バルコニ１３を備え、このバルコニ１３の全幅に渡って面する部屋としてリビング２０を配置し、バルコニ１３側の外壁１７には、大きく開口する窓４１を設けた。そして、玄関１５からリビング２０まで続く廊下２２が配置され、この廊下２２を挟んで一方側に台所、洗面所、風呂、トイレといった水廻り空間を配置し、他方側に部屋２を配置した。
【００３０】
部屋２は、長尺方向の内壁の略中間部に、内壁１２から互いに対向する位置に突出させて収納部７を形成することにより、平面視略Ｈ型形状とした。対向する収納部７に挟まれた空間が形成され、これを通路状空間３とする。
【００３１】
次に、この部屋２の寸法について説明する。図２に示すように、部屋２の長尺方向は長さが７５０ｃｍ、幅Ｗ２が３４０ｃｍであり、長尺方向の内壁の略中間部から突出するようにして形成した一対の凸状空間（収納部７）は、その外形状が略対称となるように形成した。また、部屋２の床から天井までの高さ（天井高）Ｈは２４０ｃｍである。本実施例では、通路状空間３を境とする二つの領域の面積が異なり、共用廊下１４側の領域が広くなるように配置した。
【００３２】
従って、通路状空間３の幅Ｗ１は１２０ｃｍであり、連通方向の長さＬは１５０ｃｍである。そして、高さは、部屋２の天井５と面一としたので、部屋２の天井高Ｈと同じ高さである。以上より、通路状空間３の幅Ｗ１は、部屋２の幅Ｗ２の３５％となる。
【００３３】
収納部７は、内壁１２と、この内壁１２と直交する二枚の側壁８と、これらにより囲まれた空間を閉じる折戸（建具）９とにより形成される。この収納部７は対向する位置に形成され、この対向面をそれぞれ覆う建具９は、部屋の壁面と同じ高さで形成される。折戸９は、特に、外観が面一となるように配置したことにより、部屋の一体感を損なわず外観意匠性に優れるとともに、凹凸を省くことによって通路状空間３の動線への圧迫感が無い。
【００３４】
なお、廊下２２側の収納部７は、通路状空間３と廊下２２側との両面に開口する収納として、その間を仕切る構成とした。
【００３５】
また、側壁８に沿うように、引戸１０を、各収納部７の両側面にそれぞれ設置した。この引戸１０も、天井高と略等しく、天井５から床６まで達しており、天井側だけにレールを設置した吊引戸とした。この引戸１０は、通路状空間３に向かって見ると、左右対称となるものを設置した。
【００３６】
図１に示すように、共用廊下１４側の外壁１９には、窓４を設置しているが、この窓４は、通路状空間３の連通方向の延長線上に配置した。また、部屋２のリビング２０側の壁面は、複数枚の引戸で形成し、隣接するリビング２０に向けて開放可能とした。そして、バルコニ１３側の外壁１７に設けた窓４１も、通路状空間３の連通方向の延長線上に配置した。これにより、時間帯による外光入射方位の変化にも対応可能となるので、部屋に外光が差し込む時間が長くなり、採光性に優れた明るい部屋となる。また、それぞれの窓４，４１を開放すれば、通気性に優れる。その結果、部屋２の共用廊下１４側の領域においても、採光性ならびに通気性に優れ、且つ、バルコニ１３側の外の景色を望むことができる。
【００３７】
また、部屋２の天井５には、通路状空間３とこれを介した各領域のそれぞれに照明１１を設置し、この照明１１は、通路状空間３の連通方向に沿って、略一列となるように設置した。各照明１１の設置位置を揃えることにより、部屋２は統一感があり、また、奥行き感が増す。
【００３８】
実施例１の部屋では、従来の多層集合住宅の居住空間と同じ面積の長方形状でありながらも、採光性、通気性は既述の通りであるが、開放感、奥行き感の視覚効果や、回遊性の効果により、広く、動線に優れた住居とすることができる。
【比較例】
【００３９】
図４は、従来の多層集合住宅の例を示す平面図である。水回り空間等の詳細な配置については、既に従来技術として説明したので省略するが、住居空間の長尺方向Ｙに、二部屋１０４ａ，１０４ｂを並べ、この二つの部屋１０４ａ，１０４ｂの間に収納１０７を配置して、独立した部屋１０４ａ，１０４ｂを設けている。このように、住居空間の長尺方向に、二部屋を独立して配置すると、共用廊下１０２側の部屋１０４ａは、採光性、通気性、の点で実施例に劣る。また、実施例と比較例とが同じ面積であっても、開放感や奥行き感も比較例が劣る。
【産業上の利用可能性】
【００４０】
本発明に係る住居は、部屋の略中央部に通路状空間を形成して、部屋のゾーニング効果を得ながら、採光性、通気性、回遊性を高めて、利便性の高い部屋を備えるものであり、且つ、限られた空間において現実の広さよりも広く感じ、奥行きを長く感じるような視覚効果をも奏するものである。しかも、通路状空間は、従来の建具のみで仕切る場合と異なり、凸状空間により形成されるので、この凸状空間を多目的収納として利用でき、面積が限られた住居においても、空間を有効に使用できる。従って、平面視略長方形状の住居や、住居の中央部分に部屋が配置された住居において、本発明を採用すると、窓の設置条件に制約があっても、採光性、通気性等の機能性と、部屋の使用目的に応じて間仕切る利便性と、意匠性とを兼ね備えた住居として、空間を有効利用することができる。そして、個室を完全分離する従来の住居と異なり、ゾーニング効果により一部屋を使い分けられる可変性を備え、必要な場合は間仕切りもできる構成としたので、例えば、高齢者の少人数世帯や子供のいる世帯等において、プライバシーを確保しつつ、適度に互いの気配を感じながら、各自の使用目的に応じて使い分けられる部屋を備えた住居を提供できる。従って、居住者のライフスタイルの変化にも長期的に対応可能な住居を提供できる。本発明に係る住居は、特に、多層集合住宅や、住宅密集地に建てられる住戸に採用すると、窓等の開口部の設置に制約がある位置に配置された部屋であっても採光や通風を得やすくすることができ、住居空間の設計のバリエーションを広げることができる。その結果、集合住宅の設計において、日照条件の悪い部屋ができないようにするために、各住戸のフロンテージを広げた設計にして対応していたが、本発明の住居では、フロンテージの制約を受けても、十分な採光性を有する部屋を設けることができる。
【図面の簡単な説明】
【００４１】
【図１】本発明に係る住居の一例を示す平面図である。
【図２】本発明に係る住居に備える部屋部分の一例を示す平面図である。
【図３】本発明に係る住居に備える部屋の一例を示す部分斜視図である。
【図４】従来技術の住居の例を示す平面図である。
【符号の説明】
【００４２】
１    ・・・・住居
２    ・・・・部屋
３    ・・・・通路状空間
４    ・・・・開口部
５    ・・・・天井
６    ・・・・床
８    ・・・・側壁
２１  ・・・・対向面
９    ・・・・建具
１０  ・・・・引戸
【図１】
2008214949.tif 000003
【図２】
2008214949.tif 000004
【図３】
2008214949.tif 000005
【図４】
2008214949.tif 000006